(57)【要約】【課題】地表に近い部分の竪樋や排水管における凍結を抑制して、円滑な排水を実現し、凍結による竪樋の割れを抑えることのできる排水管カバーを提供すること。【解決手段】竪樋２の下端部を保持する筒状の竪樋保持部４と、竪樋保持部４の一端外周縁から延設され、排水管の立ち上げ端部３の外周をその外側より覆うスカート部５と、スカート部５の外側または内側に面状ヒーター６とを備える。【選択図】図１
2011132673.tif 000002
【特許請求の範囲】
【請求項１】
竪樋の下端部と地中に埋設された排水管の立ち上げ端部との接続部の外側に装着される排水管カバーであって、
竪樋の下端部を保持する筒状の竪樋保持部と、
竪樋保持部の一端外周縁から延設され、排水管の立ち上げ端部の外周を覆うスカート部と、
スカート部の外側または内側に配設された面状ヒーターと
を備えることを特徴とする排水管カバー。
【請求項２】
スカート部の内側に、排水管の立ち上げ端部を保持する排水管保持部が配設されていることを特徴とする請求項１に記載の排水管カバー。
【請求項３】
面状ヒーターは、スカート部の内周面に配設され、排水管の外周面と当接または近接可能とされていることを特徴とする請求項１または２に記載の排水管カバー。
【請求項４】
スカート部の長さは、排水管の立ち上げ端部の高さよりも長く、面状ヒーターが、排水管の立ち上げ端部の端面よりも上側に位置するように設けられていることを特徴とする請求項３に記載の排水管カバー。
【発明の詳細な説明】
【技術分野】
【０００１】
本発明は、排水管カバーに関する。詳しくは、地中に埋設された排水管の立ち上げ端部の外周外側を覆う排水管カバーに関する。
【背景技術】
【０００２】
雨水や屋根上に積もった雪が融けて生じた融雪水は、軒樋に集められ、竪樋等を通して地中に埋設された排水管に排水される。しかしながら、寒冷地では、竪樋内に雪が詰まったりすることが多々あり、これによって、竪樋からの排水が行えなくなるという問題が生じていた。
【０００３】
このような問題を解消するため、本出願人は、略Ｃ字状に形成される保持具の内周面に面状発熱体を取り付け、竪樋の外周にその保持具を嵌合取着して成る竪樋の融雪装置を提案している（特許文献１）。
【０００４】
一方、寒冷地においては、竪樋から排水される雨水や融雪水は、地中に埋設された排水管内において凍結する場合がある。地中に埋設された排水管の端部は、地上に露出するように立ち上げられ、立ち上げ端部に竪樋が接続されている。したがって、地中の排水管内において生じた凍結は、排水管の立ち上げ端部から竪樋の上方へ進むことがあり、この場合、竪樋から排水管への排水が円滑に行われない上、水の体積膨張によって凍結部分で竪樋が割れてしまうという問題がある。
【０００５】
このような問題に対して、上記特許文献１に記載した融雪装置は、竪樋の外周に嵌合取着されるため、融雪装置の取着箇所近傍の竪樋内での凍結を抑制することはできるものの、地中に埋設された排水管の凍結および地表に近い部分の竪樋の凍結を抑制することは難しい。
【先行技術文献】
【特許文献】
【０００６】
【特許文献１】実公平６−１９６２号公報
【発明の概要】
【発明が解決しようとする課題】
【０００７】
本発明は、以上のような事情に鑑みてなされたものであり、地表に近い部分の竪樋や排水管における凍結を抑制して、円滑な排水を実現するとともに、凍結による竪樋の割れを抑えることのできる排水管カバーを提供することを課題としている。
【課題を解決するための手段】
【０００８】
本発明は、上記の課題を解決するため、以下のことを特徴としている。
【０００９】
第１の発明は、竪樋の下端部と地中に埋設された排水管の立ち上げ端部との接続部の外側に装着される排水管カバーであって、竪樋の下端部を保持する筒状の竪樋保持部と、  竪樋保持部の一端外周縁から延設され、排水管の立ち上げ端部の外周を覆うスカート部と、スカート部の外側または内側に配設された面状ヒーターとを備えることを特徴としている。
【００１０】
第２の発明は、上記第１の特徴において、スカート部の内側に、排水管の立ち上げ端部を保持する排水管保持部が配設されていることを特徴としている。
【００１１】
第３の発明は、上記第１または第２の特徴において、面状ヒーターは、スカート部の内周面に配設され、排水管の外周面と当接または近接可能とされていることを特徴としている。
【００１２】
第４の発明は、上記第３の特徴において、スカート部の長さは排水管の立ち上げ端部の高さよりも長く、面状ヒーターが、排水管の立ち上げ端部の端面よりも上側に位置するように設けられていることを特徴としている。
【発明の効果】
【００１３】
第１の発明では、排水管の立ち上げ端部の外周をその外側より覆うスカート部の外側または内側に面状ヒーターが配設されている。このため、面状ヒーターの加熱によって、地表に近い部分の竪樋や排水管における凍結を抑制することができ、円滑な排水を実現するとともに、凍結による竪樋の割れを抑えることができる。
【００１４】
第２の発明では、スカート部の内側に、排水管の立ち上げ端部を保持する排水管保持部が配設されている。このため、上記効果に加え、排水管の立ち上げ端部を安定に保持することができる。
【００１５】
第３の発明では、面状ヒーターは、スカート部の内周面に配設され、排水管の外周面と当接または近接可能とされている。このため、排水管の立ち上げ端部を直接加熱することができ、より効果的に地表に近い部分の竪樋や排水管における凍結を抑制することができる。
【００１６】
第４の発明では、スカート部の長さは、排水管の立ち上げ端部の高さよりも長く、面状ヒーターが、排水管の立ち上げ端部の端面よりも上側に位置するように設けられている。このため、排水管の立ち上げ端部の外周面の全体を確実に加熱することができる。また、排水管保持部が配設されている場合には、スカート部と排水管保持部の外周面との間に形成される内部空間において空気を加熱することができ、排水管の立ち上げ端部から竪樋への凍結の進行をより確実に防止することができる。
【図面の簡単な説明】
【００１７】
【図１】（Ａ）は、本発明の排水管カバーの第１の実施形態を例示した斜視図である。（Ｂ）は、（Ａ）の矢視断面図である。
【図２】図１に例示した排水管カバーの施工状態を示した断面図である。
【図３】（Ａ）は、本発明の排水管カバーの第２の実施形態を例示した斜視図である。（Ｂ）は、（Ａ）の矢視断面図である。
【図４】図３に例示した排水管カバーの施工状態を示した断面図である。
【図５】（Ａ）は、本発明の排水管カバーの第３の実施形態を例示した斜視図である。（Ｂ）は、（Ａ）の矢視断面図である。
【図６】図５に例示した排水管カバーの施工状態を示した断面図である。
【発明を実施するための形態】
【００１８】
上記のとおり、図１（Ａ）は、本発明の排水管カバーの第１の実施形態を例示した斜視図であり、図１（Ｂ）は、（Ａ）の矢視断面図である。図２は、図１に例示した排水管カバーの施工状態を示した断面図である。
【００１９】
排水管カバー１は、竪樋２の下端部と地中に埋設された排水管の立ち上げ端部３との接続部の外側に装着されるものである。
【００２０】
排水管カバー１は、竪樋２の下端部を保持する筒状の竪樋保持部４と、竪樋保持部４の一端である下端外周縁から下方に延設され、排水管の立ち上げ端部３の外周をその外側より覆うスカート部５とを備えている。スカート部５は、排水管の立ち上げ端部３の外周面３aおよび上端面３bを外側から覆うことができる。スカート部５では、その外側である上面に面状ヒーター６が配設され、内側に排水管の立ち上げ端部３を保持する排水管保持部７が配設されている。
【００２１】
竪樋保持部４の形状および構造は、竪樋２の形状および構造に対応させることができ、竪樋２が丸樋である場合には竪樋保持部４は円筒状とすることができ、竪樋２が角樋である場合には角筒状とすることができる。
【００２２】
一方、竪樋保持部４の内径は、竪樋２の外径よりも若干大きく形成されており、竪樋保持部４は、その内部に竪樋２の下端部を収納して、竪樋２の下端部を安定に保持することができる。また、竪樋２の下端から雨水などの漏水を確実に抑制することができる。しかも、竪樋２の下端部を外側からの衝撃などから保護することができる。
【００２３】
スカート部５は、上記のとおり、排水管の立ち上げ端部３の外周面３aおよび上端面３bを外側から覆い、建物の外観を良好に維持するのに寄与している。
【００２４】
スカート部５は、竪樋保持部４の下端外周縁から延びる水平部５aと水平部５aの外周縁から下方に延びる垂下部５bとから形成されている。垂下部５bの長さを、排水管の立ち上げ端部３の高さと略等しくすると、水平部５aの内周面を排水管の立ち上げ端部３の上端面３bと当接させることができる。
【００２５】
また、垂下部５bには、その外周縁部にリブ８が設けられ、地面との接触などによる破損が抑制されている。
【００２６】
面状ヒーター６には、従来公知のものを含め、種々ものを適宜使用することができ、スカート部５には、接着剤などによって固定されている。面状ヒーター６は、通電によって発熱する屈曲自在なものを用いることができる。
【００２７】
例えば、蓄熱媒体と導電性物質の混合物を不織布に含浸し、所定間隔で配設された複数の電極を上記不織布の間に挟み込み、これを非導電性の被覆シートの間に密封して形成されたものが例示される。
【００２８】
面状ヒーター６の発熱温度は、融雪を考慮して適宜決定される。例えば、およそ２０℃〜８０℃の範囲が例示される。面状ヒーター６は、通電によって発熱して、排水管の立ち上げ端部３を加熱し、排水管の凍結を防止することができる。面状ヒーター６は、断熱材などで被覆することもでき、この場合、効率的に排水管の立ち上げ端部３を加熱できる。
【００２９】
排水管保持部７は、竪樋保持部４の下端の内側において下方に延設されている。排水管保持部７の形状は、排水管の形状に対応させることができ、円筒状の排水管に対応し円筒状とされている。排水管保持部７の内部は、竪樋保持部４の内部と連通しており、竪樋２の下端部から流れ落ちる雨水などを排水管に導くことができる。
【００３０】
また、排水管保持部７の外径は、排水管の立ち上げ端部３の内径よりも若干小さくされている。排水管保持部７は、排水管の立ち上げ端部３の内側に挿入することによって、排水管の立ち上げ端部３を保持することができ、また、竪樋２の横振れを抑制することができる。さらに、竪樋２を流れ落ちる雨水などを漏出させずに排水管の立ち上げ端部３に確実に導くことができる。排水管保持部７の外周面とスカート部５の内周面の間は、排水管の立ち上げ端部３が狭持されている。
【００３１】
排水管保持部７の長さは、排水管の立ち上げ端部３を安定して保持することができる長さに設定することができる。
【００３２】
このように、スカート部５の外側に配設された面状ヒーター６の熱によって、排水管の立ち上げ端部３が加熱され、地表に近い部分の竪樋２や排水管における凍結を抑制することができ、円滑な排水を実現するとともに、凍結による竪樋２の割れを抑えることができる。
【００３３】
図３（Ａ）は、本発明の排水管カバーの第２の実施形態を例示した斜視図であり、図３（Ｂ）は、（Ａ）の矢視断面図である。図４は、図３に例示した排水管カバーの施工状態を示した断面図である。図３（Ａ）（Ｂ）および図４において、第１実施形態に共通する部分には同一の符号を付し、以下ではその部分についての説明を省略する。
【００３４】
排水管カバー１では、スカート部５が下方に裾広がりに拡開し、スカート部５の内周面に面状ヒーター６が配設され、排水管の立ち上げ端部３の外周面３aと当接または近接可能とされている。面状ヒーター６は、スカート部５において水平部５aの外周縁の内側から垂下部５bに対向して配置されている。
【００３５】
面状ヒーター６がスカート部５の内周面に配設されていることで、除雪作業時のスコップ等の衝突や積雪荷重による面状ヒーター６の損傷が抑制される。
【００３６】
排水管カバー１では、面状ヒーター６が排水管の立ち上げ端部３の外周面３aと当接または近接するため、面状ヒーター６の発熱ロスが少なく、排水管の立ち上げ端部３が効果的に加熱され、排水管の凍結を一層効果的に防止することができる。このため、竪樋２からの円滑な排水が実現され、凍結による竪樋２の割れを防ぐことができる。
【００３７】
また、排水管カバー１では、スカート部５が下方に裾広がりに拡開しているため、排水管カバー１を排水管の立ち上げ端部３に装着し易くなっている。
【００３８】
図５（Ａ）は、本発明の排水管カバーの第３の実施形態を例示した斜視図であり、図５（Ｂ）は、（Ａ）の矢視断面図である。図６は、図５に例示した排水管カバーの施工状態を示した断面図である。図５（Ａ）（Ｂ）および図６において、第１実施形態に共通する部分には同一の符号を付し、以下ではその部分についての説明を省略する。
【００３９】
排水管カバー１では、スカート部５の垂下部５bが、第１の実施形態および第２の実施形態のものよりも長く形成され、垂下部５bの内周面に面状ヒーター６が配設されている。すなわち、スカート部５の長さは、排水管の立ち上げ端部３の高さよりも長く、面状ヒーター６が、排水管の立ち上げ端部３の上端面３bよりも上側に位置するように設けられている。
【００４０】
スカート部５は、竪樋保持部４からの傾斜面５cを有し、傾斜面５cの外周縁から下方に垂下部５bが延びている。
【００４１】
このような排水管カバー１では、面状ヒーター６が排水管の立ち上げ端部３の外周面３aと当接するとともに、排水管の立ち上げ端部３の上端面３bよりも上側に位置するので、排水管の立ち上げ端部３の外周面３aの全体を確実に加熱することができる。このため、排水管の凍結を一層効果的に抑制することができる。
【００４２】
また、スカート部５の垂下部５b内周面と排水管保持部７の外周面との間に形成された内部空間Ｘにおいて、空気を面状ヒーター６の加熱によって温めることができる。温められた空気によって、排水管保持部７が加熱され、排水管の立ち上げ端部３の加熱による凍結防止効果に加え、排水管保持部７の保持する熱により、排水管の立ち上げ端部３から竪樋２への凍結の進行を抑制することができる。
【００４３】
なお、本発明は、以上の実施形態によって限定されるものではない。例えば、排水管カバー１を形成する材料は、ステンレス、銅、アルミニウム等の金属、または、合成樹脂などが例示される。
【符号の説明】
【００４４】
１  排水管カバー
２  竪樋
３  排水管の立ち上げ端部
３a  外周面
３b  上端面
４  竪樋保持部
５  スカート部
６  面状ヒーター
７  排水管保持部
【図１】
2011132673.tif 000003
【図２】
2011132673.tif 000004
【図３】
2011132673.tif 000005
【図４】
2011132673.tif 000006
【図５】
2011132673.tif 000007
【図６】
2011132673.tif 000008